(57)【要約】【課題】不純物を経路とする電極間の短絡事故や放電事故の発生を防止して、回収したフロンが他のタイプのフロンに変性したり、当該フロンから酸化物や劇物が発生することを防止するようにしたフロン再生装置を提供する。【解決手段】フロン再生装置１０は、被回収機器１から回収してタンク１３に貯留した回収フロンをガス化して電気式集塵装置２０へ流入させる。回収フロンガスに含まれているオイルミストは、ニードルバルブ２１で帯電させられ、電気式集塵装置の処理室２５内の集塵電極で吸着除去される。そして、フィルタ２２で残留水分を除去して不純物が除去された再生フロンはボンベ２に充填される。また、集塵電極へ電源を供給する出力電源部３５と処理室２５との間には、集塵電極に係る電圧と高圧回路３８を流れる電流を監視する電源監視部３６と異常電流を検知したときに高圧回路３８を流れる電流を遮断するように制御する電源制御部３７を設けた。【選択図】図１
2015148389.tif 000002
【特許請求の範囲】
【請求項１】
被回収機器から排出される液化した回収フロンを貯留するタンクの内部に熱交換器を備えたフロン気化装置部と、
当該フロン気化装置部のガス出口と電気式集塵装置のガス流入口とを接続する第１管路にニードルバルブを介装し、前記電気式集塵装置のガス排出口とコンプレッサーとをフィルタを介して接続し、前記コンプレッサーによって圧縮されたフロンを前記熱交換器に第２管路により送るように設けた再生装置本体とからなり、
前記フロン気化装置部の熱交換器の液出口と再生フロン用ボンベの液出入口とを第３管路により接続するように設け、
前記フロン気化装置部から排出されるガス化した回収フロンを前記ニードルバルブ内の狭い通路を通過させることによって当該フロンに含まれる不純物を帯電させ、その帯電させた不純物を前記電気式集塵装置によって除去し、前記フィルタによって水分を除去されたフロンを前記コンプレッサーにより圧縮し、その圧縮されたフロンが前記熱交換器内を通過することによって前記フロン気化装置部内の回収フロンを加温するようになし、前記熱交換器による熱交換作用によってガス状態から液化されたフロンを再生フロン用ボンベに収容するように設けたフロン再生装置であって、
前記電気式集塵装置は、帯電させた前記不純物を除去する集塵装置本体へ高圧電源を出力する出力電源部と、当該出力電源部を監視する電源監視部と、当該電源監視部からの監視信号を受けて前記出力電源部を制御する電源制御部とを有し、
前記電源監視部は、
前記出力電源から流れる電流を監視する監視手段と、
当該電流が所定の閾値を超えたか否かを検知する検知手段とを有し、
前記電源制御部は、
前記閾値を超えた異常電流が検知されたときに前記出力電源部から出力される前記高圧電源をシャットダウンさせる遮断信号を出力する遮断手段とを有し、
前記検知手段が、前記集塵装置本体内に前記異常電流が流れたことを検知したとき、
前記遮断手段が、前記高圧電源をシャットダウンするようにしたことを特徴とするフロン再生装置。
【請求項２】
前記電源監視部に、前記集塵装置本体へ出力される出力電源に係るアナログ信号をデジタル信号に変換するＡＤ変換器を設け、当該電源監視部は、前記デジタル信号で前記出力電源を監視するようにしたことを特徴とする請求項１に記載のフロン再生装置。
【発明の詳細な説明】
【技術分野】
【０００１】
本発明は、回収したフロンから不純物を除去して当該フロンを再生するフロン再生装置に関する。
【背景技術】
【０００２】
大気に放出されたフロンは、オゾン層を破壊し、地球温暖化の原因となることが知られている。そのため、使用済みのフロンは、閉鎖環境下で分解処理したり、また使用中に混入した不純物を除去してリサイクルされている。このフロンをリサイクルするために、使用済みのフロンを再生する装置がフロン再生装置である。
【０００３】
本願出願人は、フロン再生装置として、下記特許文献１乃至特許文献３を開示している。当該フロン再生装置は、回収したフロンをガス化する際に、当該回収フロンに含まれている不純物をミスト化して帯電させるように形成されている。そして、フロン再生装置は、帯電した不純物を電気式集塵装置で除去している。これにより、当該フロン再生装置は、従来の蒸留によって不純物とフロンを分離する蒸留式フロン再生装置や、不純物をフィルタでろ過するろ過式フロン再生装置よりも、効率よく不純物を除去することができる。
【先行技術文献】
【特許文献】
【０００４】
【特許文献１】特開２００７−１４４３１９号公報
【特許文献２】特開２００９−１８３８５１号公報
【特許文献３】特開２００９−２１５２２４号公報
【発明の概要】
【発明が解決しようとする課題】
【０００５】
上記の電気式集塵装置は、所定の間隔で並べられた複数枚の平板からなる電極を有しており、当該電極間に高電圧をかけることによって、一の電極から他の電極に向かう電界を形成し、電極間に浮遊しているミスト状の帯電不純物を電極に吸着させて除去している。
ここで、帯電不純物の濃度が濃かったり、電極が汚れている場合、電極間に絶縁破壊が起こり、短絡事故や放電事故が発生するおそれがある。そして、当該短絡事故や放電事故によって、回収したフロンが他のタイプのフロンに変性したり、回収したフロンから不純物に含まれている水分を担体として電気分解によってフッ化水素や塩酸といった酸化物が生成されるおそれがある。
【０００６】
したがって、本発明が解決しようとする課題は、不純物を経路とする電極間の短絡事故や放電事故の発生を防止して、回収したフロンが他のタイプのフロンに変性したり、当該フロンから酸化物や劇物が発生することを防止するようにしたフロン再生装置を提供することである。
【課題を解決するための手段】
【０００７】
請求項１に記載のフロン再生装置は、被回収機器から排出される液化した回収フロンを貯留するタンクの内部に熱交換器を備えたフロン気化装置部と、
当該フロン気化装置部のガス出口と電気式集塵装置のガス流入口とを接続する第１管路にニードルバルブを介装し、前記電気式集塵装置のガス排出口とコンプレッサーとをフィルタを介して接続し、前記コンプレッサーによって圧縮されたフロンを前記熱交換器に第２管路により送るように設けた再生装置本体とからなり、
前記フロン気化装置部の熱交換器の液出口と再生フロン用ボンベの液出入口とを第３管路により接続するように設け、
前記フロン気化装置部から排出されるガス化した回収フロンを前記ニードルバルブ内の狭い通路を通過させることによって当該フロンに含まれる不純物を帯電させ、その帯電させた不純物を前記電気式集塵装置によって除去し、前記フィルタによって水分を除去されたフロンを前記コンプレッサーにより圧縮し、その圧縮されたフロンが前記熱交換器内を通過することによって前記フロン気化装置部内の回収フロンを加温するようになし、前記熱交換器による熱交換作用によってガス状態から液化されたフロンを再生フロン用ボンベに収容するように設けたフロン再生装置であって、
前記電気式集塵装置は、帯電させた前記不純物を除去する集塵装置本体へ高圧電源を出力する出力電源部と、当該出力電源部を監視する電源監視部と、当該電源監視部からの監視信号を受けて前記出力電源部を制御する電源制御部とを有し、
前記電源監視部は、
前記出力電源から流れる電流を監視する監視手段と、
当該電流が所定の閾値を超えたか否かを検知する検知手段とを有し、
前記電源制御部は、
前記閾値を超えた異常電流が検知されたときに前記出力電源部から出力される前記高圧電源をシャットダウンさせる遮断信号を出力する遮断手段とを有し、
前記検知手段が、前記集塵装置本体内に前記異常電流が流れたことを検知したとき、
前記遮断手段が、前記高圧電源をシャットダウンするようにしたことを特徴とする。
【０００８】
請求項２に記載のフロン再生装置は、請求項１に記載の発明において、前記電源監視部に、前記集塵装置本体へ出力される出力電源に係るアナログ信号をデジタル信号に変換するＡＤ変換器を設け、当該電源監視部は、前記デジタル信号で前記出力電源を監視するようにしたことを特徴とする。
【発明の効果】
【０００９】
請求項１に記載のフロン再生装置によれば、出力電源部が電気式集塵装置の集塵装置本体へ出力する高圧電源を監視する電源監視部と、電源監視部からの監視信号を受けて出力電源部を制御する電源制御部を設けた。そして、電源監視部と電源制御部が協働することによって、出力電源部を監視・制御して、集塵装置本体へ流れる電流が所定の閾値を超えた異常電流となったとき、高圧電源をシャットダウンするようにした。
これによって、不純物を経路とする電極間の短絡事故や放電事故の発生を防止することができ、さらには、回収したフロンが他のタイプのフロンに変性したり、当該フロンから酸化物や劇物が発生することを防止することができる。
【００１０】
請求項２に記載のフロン再生装置によれば、電源監視部にアナログ信号をデジタル信号に変換するＡＤ変換器を設けて、出力電源をデジタル信号で監視するようにした。そのため、アナログ信号に含まれるノイズの影響を除去して、電源制御部と信号の送受信を行うことができ、出力電源を監視することができる。
これによって、不純物を経路とする電極間の短絡事故や放電事故の発生を防止することができ、さらには、回収したフロンが他のタイプのフロンに変性したり、当該フロンから酸化物や劇物が発生することを防止することができる。
【図面の簡単な説明】
【００１１】
【図１】本実施例に係るフロン再生装置の構成の概略を示すブロック図である。
【図２】本実施例に係るフロン再生装置の電気式集塵装置の構成の概略を示す説明図である。
【図３】本実施例に係るフロン再生装置の電気式集塵装置の回路構成の概略を示すブロック図である。
【図４】本実施例に係るフロン再生装置のニードルバルブの構成の概略を示す模式図である。
【実施例１】
【００１２】
本発明に係るフロン再生装置の実施例を添付した図面にしたがって説明する。図１は、本実施例に係るフロン再生装置の構成の概略を示すブロック図である。
【００１３】
フロン再生装置１０は、被回収機器１から排出される液化した回収フロンを貯留するフロン気化装置部１１と、気化した状態の回収フロンに含まれる不純物を除去する再生装置本体１２とからなる。ここで、回収フロンに含まれる不純物とは、たとえば、機械油又はこれに類似の油からなる油分や、被回収機器内のフロン循環路中に混入した水分である。
【００１４】
フロン気化装置部１１は、タンク１３と熱交換器１４とを有する。
タンク１３は、被回収機器１から排出される液化した回収フロンが流れる配管１５が接続されている。これにより、タンク１３は、被回収機器１から排出された液化回収フロンを貯留することができる。タンク１３は、液化回収フロンが流入する第１液流入口１６と、ガス化した回収フロンガスが排出される第１ガス排出口１７を有している。当該第１液流入口１６と第１ガス排出口１７は、夫々開閉バルブ（図示略）を有している。
熱交換器１４は、タンク１３内部に収納されている。熱交換器１４は、液化回収フロンを温めて、ガス化を促すように形成されている。これにより、フロン気化装置部１１は、被回収機器１から回収した液化回収フロンを気化させて回収フロンガスを生成することができる。
【００１５】
再生装置本体１２は、電気式集塵装置２０、ニードルバルブ２１、フィルタ２２、コンプレッサ２３、及び凝縮器２４からなる。
電気式集塵装置２０は、円筒形状の処理室２５を有し、当該処理室２５内には集塵電極２６が収納されている。そして集塵電極２６には電源２７が接続されている。
処理室２５は、円筒形の胴部２５ａを底蓋２５ｂと上蓋２５ｃが密封するように形成されている。底蓋２５ｂには、回収フロンガスが流入する第２ガス流入口２８と、除去した不純物を排出する埋栓２９ａを備えたドレン口２９が形成されている。上蓋２５ｃには、回収フロンガスが排出される第２ガス排出口３０が形成されている。
集塵電極２６は、ステンレス又はこれに類似する金属製の平板からなり、所定の間隔で胴部２５ａ円筒の軸方向に沿って縦向きに複数枚並設されている。集塵電極２６は陽極板（＋）と陰極板（−）が交互に配されている。集塵電極２６は電源２７から出力された高電圧が印加されるように形成されている。本実施例において、当該高電圧は、約１ｋＶの直流電圧に設定されているが、これに限定されず任意の電圧値に設定された高電圧を集塵電極２６へ印加することができる。
【００１６】
電源２７は、集塵電極２６へ高電圧を出力する出力電源部３５と、当該出力電源部３５から出力される出力電源を監視する電源監視部３６と、電源監視部３６からの監視信号を受けて出力電源部３５を制御する電源制御部３７を有している。
【００１７】
出力電源部３５は、集塵電極２６と接続される高圧回路３８を有し、家庭用電源３９を集塵電極２６に印加する高電圧まで昇圧する昇圧手段４０を有している。昇圧手段４０は、１００Ｖの単相交流電源を直流６００Ｖまで昇圧している。なお、本実施例において昇圧手段４０は直流６００Ｖを出力するがこれに限定されるものでは無く、任意の電圧値に設定した高電圧を出力することができるように可変手段を設けても良い。これにより、家庭用の１００Ｖ電源又は２００Ｖ電源を利用することができるので、フロン再生装置１０の導入コストを抑えることができる。また、本実施例において、高圧回路３８を流れる電流は、１００μＡに設定されている。なお、これに限定されるものでは無く、電流もまた任意の値に設定することができる。
【００１８】
電源監視部３６と電源制御部３７は、好ましくは同一の基板上に形成された回路からなり、図３に示すように、当該回路は、中央演算装置（以下「ＣＰＵ」という）４５を有し、電流検出器５０、分圧器５１、積分器５２、Ｓ／Ｈ器５３、ＡＤ変換器５４を構成するように回路形成され、高圧回路３８と並列に配されている。
電源監視部３６と電源制御部３７は、ＣＰＵ４５を介して協働するように形成されている。
電源監視部３６は、出力電源部３５から集塵電極２６へ供給される電源に係る電流を監視する監視手段４１と、当該電流が所定の閾値を超えたか否かを検知する検知手段４２を有し、電源制御部３７へ監視信号を出力するように形成されている。ここで、監視信号のうち、検知手段４２が所定閾値を超えた異常電流を検知したときに出力される信号を異常信号という。
電源制御部３７は、電源監視部３６からの異常信号を受けて、電流を遮断して高圧電源をシャットダウンするように出力電源部３５へ遮断信号を出力する遮断手段４３と、異常信号を含めた監視信号を受信して遮断手段４３を制御し、また好ましくは、監視信号に対する応答信号を電源監視部３６へ返して当該電源監視部を制御する制御手段４４を有している。これによって、電源監視部３６と電源制御部３７は協働して出力電源部３５及び高圧回路３８を監視し、検知した異常信号にしたがって高圧電源をシャットダウンすることができる。
【００１９】
次に、上記の監視手段４１、検知手段４２、遮断手段４３、制御手段４４を実現する各回路構成について説明する。
電流検出器５０は、集塵電極２６から出力電源部３５に向かって回路を流れる電流を検出して、検出した当該電流に係る電流信号を第２アナログ電圧信号へ変換するように形成されている。
分圧器５１は、出力電源部３５から集塵電極２６に向かう回路に係る高電圧を分圧すると共に、当該高電圧を降圧してアナログ（Ａ）‐デジタル（Ｄ）変換可能な第１アナログ電圧信号を生成するように形成されている。
積分器５２は、コンデンサを有する積分回路であって、集塵電極２６で短絡若しくは放電が起きたときに電源監視部３６へ流れ込む突入電流を平均化するように形成されている。これによって、過大電流によって回路が破損することを防止することができる。
Ｓ／Ｈ器５３は、サンプル／ホールド回路であって、分圧器５１又は積分器５２から入力されたアナログ信号をサンプリングすると共に、サンプリングしたアナログ信号を所定時間保持するように形成されている当該アナログ信号は、ＡＤ変換器に出力される。
ＡＤ変換器５４は、入力されたアナログ信号をデジタル信号へ変換するように形成されている。すなわち、ＡＤ変換器５４は、分圧器５１から入力された第１アナログ電圧信号を第１デジタル電圧信号へ変換し、電流検出器５０から入力された第２アナログ電圧信号を第２デジタル電圧信号へ変換し、積分器５２から入力されたアナログ電流信号をデジタル電流信号に変換している。変換されたデジタル信号は、ＣＰＵ４５へ出力される。当該第１デジタル電圧信号、第２デジタル電圧信号、及びデジタル電圧信号が集塵電極２６に係る電圧及び電流を監視する監視信号である。
【００２０】
ＣＰＵ４５は、信号処理回路を有している。当該信号処理回路によって実現される制御手段４４は、電圧保持手段５５と、電流監視手段５６とからなり、当該電圧保持手段５５と電流監視手段５６は、電源監視部３６の監視手段４１と検知手段４２、並びに電源制御部３７の遮断手段４３を総合的に制御するように形成されている。
電圧保持手段５５は、分圧器５１からＡＤ変換器５４を経由して入力された第１デジタル電圧信号に基づいて高圧回路３８の高電圧を一定に保持するように出力電源部３５の昇圧手段４０を制御するように形成されている。
電流監視手段５６は、電流検出器５０で検出した第２デジタル電圧信号に基づいて高圧回路３８に流れる電流を監視するように形成されている。そして、異常電流を検知したときには、当該異常電流に係る異常信号が電源監視部３６から電源制御部３７へ入力され、制御手段４４が遮断手段４３を制御し、当該遮断手段４３が遮断信号を出力電源部３５へ出力するように形成されている。
このように、第１デジタル電圧信号と第２デジタル電圧信号で監視手段４１を制御して、出力電源部３５と集塵電極２６との間を流れる電流や集塵電極２６に係る高電圧を監視することができる。
上記のように構成された電気式集塵装置２０によれば、集塵電極２６が短絡したり、放電したりして高圧回路３８に過電流が流れた場合、瞬時に高圧回路３８に流れる電流を遮断して、集塵電極２６へ流れる電流をシャットダウンすることができる。これにより、回収したフロンにエネルギーが加えられて別のフロンに変性することを防止することができ、また、回収したフロンが電気分解されてフッ化水素（ＨＦ）や塩酸（ＨＣｌ）といった酸化物が発生して、再生フロンに劇物が混入することを防止することができる。
【００２１】
ニードルバルブ２１は、バルブ本体６０と、ニードル６１からなり、電気式集塵装置２０の第２ガス流入口２８に取り付けられている。なお、本実施例において、ニードルバルブ２１は第２ガス流入口２８に直接取り付けられているが、これに限定されるものでは無く、第１ガス排出口１７と第２ガス流入口２８とを接続する第１管路１８の任意の場所に介装することができる。
バルブ本体６０は金属からなり、入口孔６２と出口孔６３が直交して連通するように形成されている。入口孔６２と出口孔６３の連通部６４には、入口孔６２や出口孔６３よりも小径の通路６５が形成されている。出口孔６３の一端側にはナット６６が配されている。当該ナット６６には、雄ネジ（図示略）が切られたニードル６１が螺合されている。これによりバルブ本体６０にニードル６１を固定することができる。ニードル６１の先端部６１ａは連通部６４に臨み進退可能に形成されている。すなわち、ニードル６１の頭部６１ｂを回動操作することによって、通路６５の幅を調節することができる。
【００２２】
フィルタ２２は第２ガス排出口３０と配管７１で接続され、フィルタ２２とコンプレッサー２３は配管７２で接続されている。コンプレッサー２３の第３ガス排出口７３と熱交換器１４の第４ガス流入口７４とは第２管路１９で接続されている。
フィルタ２２は、モレキュラーシーブ又はこれに類する乾燥吸着剤を内蔵している。これにより、回収フロンに含まれている水分の除去率を高めることができる。なお、当該水分は、氷の微粒子の状態であれば、ニードルバルブ２１の通路６５を通過する際に摩擦で帯電させることができるので、電気式集塵装置２０で除去することができる。
コンプレッサー２３は、回収フロンガスから電気式集塵装置２０とフィルタ２２で不純物を除去して生成した再生フロンガスを圧縮するように形成されている。
【００２３】
熱交換器１４の液出口７５と再生フロン用ボンベ２の液出入口７６は、第３管路７７で接続されている。第３管路７７は、液化した再生フロンを凝縮する凝縮器２４が介装されている。凝縮器２４は冷却ファン７８を有し、第３管路７７を流れる再生フロンガスを冷却して液化するまで凝縮するように形成されている。第３管路７７の液出口７９と再生フロン用ボンベの液出入口７６は、夫々開閉バルブ（図示略）が設けられている。
【００２４】
上記の構成を有するフロン再生装置１０は、以下に説明するように回収したフロンを再生する。
被回収機器１から回収された液化フロンは、タンク１３に貯留される。そして、フロン気化装置部１１の第１ガス排出口１７の開閉バルブを開放したとき、タンク１３の内部に収容され、熱交換器１４で温められた液化回収フロンは、タンク１３内外の圧力差によってガス化して回収フロンガスとなる。
回収フロンガスは、第１管路１８を通ってニードルバルブ２１の内部に導かれる。また、回収フロンガスの生成と共に、当該回収フロンガスに含まれている不純物もまたミスト化される。当該不純物は、被回収機器１の機械油又はこれに類する油からなる油分と、被回収機器１でフロンを使用中に混入した水分からなる。不純物をミスト化したときには、主成分となる油分に氷の微粒子が混在している状態である。したがって、本実施例においては、ミスト化した不純物を、以下「オイルミスト」という。
回収フロンガスがニードルバルブ２１の通路６５を通過するとき、オイルミストは、金属製のバルブ本体６０及びニードル６１、特にニードル６１の先端部６１ａに衝突することによって帯電する。帯電した回収フロンガスは、第２ガス流入口２８から処理室２５へ流入する。
【００２５】
電気式集塵装置２０では、集塵電極２６で帯電したオイルミストを吸着回収する。集塵電極２６に付着したオイルミストは液化し、その自重によって処理室２５の底蓋２５ｂ上面に落下し、ドレン口２９から排出される。
ここで、オイルミストの濃度が濃い場合、又は集塵電極２６に印加された高電圧の電圧が高すぎた場合、また集塵電極２６にオイルミストが大量に付着した場合といった様々な原因によって、集塵電極２６間に放電が発生する放電事故や、集塵電極２６間に流れる暗流を端緒として集塵電極２６間の短絡事故が誘発されるおそれがある。この放電事故や短絡事故が発生したときには、集塵電極２６と出力電源部３５を接続する高圧回路３８に過電流が流れる。
当該過電流は、積分器５２からＡＤ変換器５４を介してデジタル電流信号に変換されてＣＰＵ４５に入力され、異常電流が発生したことが検知される。異常電流を検知したとき、ＣＰＵ４５は高圧回路３８から流れる電流を遮断して高電圧の発生をシャットダウンし、出力電源部３５が集塵電極２６へ出力する高圧電源を瞬時にシャットダウンするように制御する。
これによって、過電流が高圧回路３８を破壊することを防止することができる。また、放電事故や短絡事故を防止して、回収フロンガスが他のフロンに変性したり、当該回収フロンガスからＨＦやＨＣｌといった劇物が生成されることを防止することができる。
【００２６】
電気式集塵装置２０で除去できなかった残留水分は、フィルタ２２で除去される。そして、回収フロンガスからオイルミストと水分が除去されて再生フロンガスが生成される。
再生フロンガスはコンプレッサー２３で圧縮されて高温状態で熱交換器１４に流入する。熱交換器１４は熱交換作用によって再生フロンガスを冷却して液化再生フロンを生成する。一方、タンク１３内の回収フロンは再生フロンの保有熱によって温められるので、熱交換器１４は、気化熱によってフロン気化装置部１１の気化作用が低下することを防止することができる。熱交換器１４で一部が液化した再生フロンガスの残りは、第３管路７７を通気中に凝縮器２４の冷却ファン７８でさらに冷却され、再生フロンガスを凝縮した液化再生フロンが生成される。当該液化再生フロンは、再生フロン用ボンベ２に収容される。
これによって、被回収機器１から回収した回収フロンから不純物を除去して再生フロンを生成することができ、フロンをリサイクルすることができる。
【００２７】
また、本実施例に係るフロン再生装置１０によれば、熱交換器１４にコンプレッサー２３で高温にした再生フロンを通すことによって、タンク１３内の回収フロンを温めることができる。これによって、回収フロンのガス化を促し、回収フロンに含まれている不純物を容易にオイルミスト化し、ひいてはオイルミストの帯電効率を上げることができる。そのため、電気式集塵装置で不純物の除去効率を高めることができる。
さらに、本実施例に係るフロン再生装置１０によれば、コンプレッサーで加熱した再生フロンを熱交換器１４と凝縮器２４で冷却することによって、再生フロンを効率よく冷却することができる。これによって、再生フロン用ボンベに充填する圧力と再生フロン用ボンベ内の圧力を低くすることができる。そのため、フロン再生装置１０を利用したフロンのリサイクル工程を安全に行うことができる。
【符号の説明】
【００２８】
１０…フロン再生装置、
１１…フロン気化装置、１２…再生装置本体、
１３…タンク、１４…熱交換器、１５…被回収機器とフロン気化装置を接続する配管、１６…第１液流入口、１７…第１ガス排出口、１８…第１管路、１９…第２管路、
２０…電気式集塵装置、２１…ニードルバルブ、２２…フィルタ、２３…コンプレッサー、２４…凝縮器、
２５…処理室、２５ａ…胴部、２５ｂ…底蓋、２５ｃ…上蓋、２６…集塵電極、２７…電源、２８…第２ガス流入口、２９…ドレン口、２９ａ…埋栓、３０…第２ガス排出口、
３５…出力電源部、３６…電源監視部、３７…電源制御部、
３８…高圧回路、３９…家庭用電源、４０…昇圧手段、
４１…監視手段、４２…検知手段、４３…遮断手段、
４４…制御手段、４５…ＣＰＵ、
５０…電流検出器、５１…分圧器、５２…積分器、５３…Ｓ／Ｈ器、５４…ＡＤ変換器、
５５…電圧保持手段、５６…電流監視手段、
６０…バルブ本体、６１…ニードル、６２…入口孔、６３…出口孔、６４…連通部、６５…通路、６６…ナット、
７１…電気式集塵装置とフィルタを接続する配管、７２…フィルタとコンプレッサーを接続する配管、
７３…第３ガス排出口、７４…第４ガス流入口、
７５…熱交換器の液出口、７６…再生フロン用ボンベの液出入口、７７…第３管路、
７８…冷却用ファン、７９…第３管路出口、
１…被回収機器、２…再生フロン用ボンベ。
【図１】
2015148389.tif 000003
【図２】
2015148389.tif 000004
【図３】
2015148389.tif 000005
【図４】
2015148389.tif 000006